(57)【要約】【課題】  プロファイル用コネクタを介して第１プロファイルと第２プロファイルを連結・固定した状態で、例えば、第３プロファイルを別のプロファイル用コネクタを介して第１プロファイルに近接・配置して連結・固定することを可能にするプロファイル用コネクタを提供すること。【解決手段】  一対のコネクタ要素の頭部と軸部を合せた状態で組み合わせ、それぞれの係合爪を第１プロファイルの被把持部の片側に当てるとともにそれぞれの軸部を上記第２プロファイル内に挿入し、一対のコネクタ要素を締結手段によって締結することにより、それぞれの係合爪によって第１プロファイルの被把持部を把持するとともにそれぞれの挿入部によって第２プロファイルを把持し、第１プロファイルと第２プロファイルを連結・固定し、それぞれの頭部の係合爪に直交する側には別のプロファイル用コネクタのそれぞれの係合爪によって把持される被把持部が設けられているもの。【選択図】  図１
2018076912.tif 000002
【特許請求の範囲】
【請求項１】
プロファイル側被把持部を備えた第１プロファイルに中空部を備えた第２プロファイルを連結・固定する際に使用するプロファイル用コネクタにおいて、
着脱可能に組み合わされる一対のコネクタ要素からなり、
上記各コネクタ要素の一端には頭部が設けられていて該頭部には上記第１プロファイルのプロファイル側被把持部の片側に係合する係合爪が設けられており、
上記各コネクタ要素の他端には上記第２プロファイル内に挿入される挿入部が設けられていて、
上記一対のコネクタ要素の頭部と挿入部を合せた状態で組み合わせ、
上記それぞれの係合爪を上記第１プロファイルのプロファイル側被把持部の片側に当てるとともに上記それぞれの挿入部を上記第２プロファイル内に挿入し、
上記一対のコネクタ要素を締結手段によって締結することにより、上記それぞれの係合爪によって上記第１プロファイルのプロファイル側被把持部を把持するとともに、上記それぞれの挿入部によって上記第２プロファイルを把持し、それによって、上記第１プロファイルと第２プロファイルを連結・固定し、
上記それぞれの頭部の上記係合爪に直交する側には別のプロファイル用コネクタの係合爪によって把持されるコネクタ側被把持部が設けられていることを特徴とするプロファイル用コネクタ。
【請求項２】
請求項１記載のプロファイル用コネクタにおいて、
上記それぞれの頭部に設けられたコネクタ側被把持部は、単独で、上記別のプロファイル用コネクタのそれぞれの係合爪によって把持されるものであることを特徴とするプロファイル用コネクタ。
【請求項３】
請求項１又は請求項２記載のプロファイル用コネクタにおいて、
上記コネクタ側被把持部は上記第１プロファイルのプロファイル側被把持部と同じ形状をなすものであることを特徴とするプロファイル用コネクタ。
【請求項４】
請求項１〜請求項３の何れかに記載のプロファイル用コネクタにおいて、
上記それぞれの挿入部は上記締結手段により締結されることにより上記第２プロファイルの中空部を内側から押し付けるものであることを特徴とするプロファイル用コネクタ。
【請求項５】
請求項４記載のプロファイル用コネクタにおいて、
上記それぞれの挿入部には相互に組み合される螺旋状係合面が設けられていることを特徴とするプロファイル用コネクタ。
【請求項６】
請求項１〜請求項３の何れかに記載のプロファイル用コネクタにおいて、
上記それぞれの挿入部は上記締結手段により締結されることにより上記第２プロファイルの中空部内の壁を外側から押し付けるものであることを特徴とするプロファイル用コネクタ。
【発明の詳細な説明】
【技術分野】
【０００１】
本発明は、第１プロファイルと第２プロファイルを連結・固定する際に使用するプロファイル用コネクタに係り、特に、プロファイル用コネクタを介して第１プロファイルと第２プロファイルを連結・固定した状態で、例えば、第３プロファイルを別のプロファイル用コネクタを介して、上記第１プロファイルに近接・配置して連結・固定することができるように工夫したものに関する。
【背景技術】
【０００２】
２つの中空状のプロファイルを連結するプロファイル用コネクタを開示するものとして、例えば、特許文献１がある。この特許文献１に記載された２つの成形ロッドのＴ結合においては、継手を用いて第１プロファイルと第２プロファイルを連結・固定している。上記継手は２つのクランプジョーから構成されている。
【０００３】
上記２つのクランプジョーは、ボルトとナットによって締結されており、上記ボルトとナットによって近接されると、上記２つのクランプジョーの一方によって第１プロファイルの外周面に突設される外ウェブを把持し、上記２つのクランプジョーの他方によって第１プロファイルの内周面に突設される内ウェブを把持する。
【０００４】
また、別の構成のプロファイル用コネクタを開示するものとして特許文献２がある。これは、本件特許出願人によるものである。
この特許文献２に記載されたプロファイル用コネクタは、第１プロファイルと第２プロファイルを垂直に当接させた状態で連結・固定するものである。上記第１プロファイルと第２プロファイルは、中空形状であり、外周面には長さ方向に延長された把持部が周方向に等間隔の４箇所に突出・形成されている。
【０００５】
上記プロファイル用コネクタは、２つのコネクタ要素から構成されている。上記コネクタ要素は頭部と押圧部から構成されている。上記コネクタ要素の頭部には、２つの上記コネクタ要素を組み合わせた際に対向するように把持爪部が形成されている。これら把持爪部の間に上記第１プロファイルの被把持部が把持される。
また、上記コネクタ要素の押圧部は、２つの上記コネクタ要素を組み合わせた際に、その先端側が相手のコネクタ要素側に配置されるようになっている。これら押圧部は、上記第２プロファイル内に挿入され、上記第２プロファイルを内側から押圧・固定する。
【０００６】
上記２つのコネクタ要素は、組み合わされて、ボルトとナットによって締結・固定され、互いに近接する方向に移動する。それによって、上記把持爪部は互いに近接し、一方、上記押圧部の先端側は互いに離間する。
これにより、上記コネクタ要素は、上記把持爪部によって上記第１プロファイルを把持・固定するとともに、上記押圧部によって上記第２プロファイルを内側から押圧・固定し、上記第１プロファイルと上記第２プロファイルを直交させた状態で連結する。
【先行技術文献】
【特許文献】
【０００７】
【特許文献１】特表２００２−５３１７９４号公報
【０００８】
【特許文献２】特許第５９８９５０２号公報
【発明の概要】
【発明が解決しようとする課題】
【０００９】
上記従来の構成によると、次のような問題があった。
例えば、特許文献１に記載された発明の場合には、２つの成形ロッドを継手を介して連結した状態で、別の成形ロッドを上記２つの成形ロッドの何れか一方の成形ロッドに近接・配置させようとしても、上記継手の部位だけ離間させなければならず、その結果、レイアウトが制限されてしまうという問題があった。
これは、特許文献２に記載された発明の場合も同様である。すなわち、第１プロファイルと第２プロファイルをプロファイル用コネクタを介して連結した状態で、第３プロファイルを別のプロファイル用コネクタを介して上記第１プロファイルに近接・配置させようとしても、上記プロファイル用コネクタの分だけ離間させなければならず、その結果、レイアウトが制限されてしまうという問題があった。
【００１０】
本発明はこのような点に基づいてなされたものでその目的とするところは、プロファイル用コネクタを介して第１プロファイルと第２プロファイルを連結・固定した状態で、例えば、第３プロファイルを別のプロファイル用コネクタを介して第１プロファイルに近接・配置して連結・固定することを可能にするプロファイル用コネクタを提供することにある。
【課題を解決するための手段】
【００１１】
上記目的を達成するべく本願発明の請求項１によるプロファイル用コネクタは、プロファイル側被把持部を備えた第１プロファイルに中空部を備えた第２プロファイルを連結・固定する際に使用するプロファイル用コネクタにおいて、着脱可能に組み合わされる一対のコネクタ要素からなり、上記各コネクタ要素の一端には頭部が設けられていて該頭部には上記第１プロファイルのプロファイル側被把持部の片側に係合する係合爪が設けられており、上記各コネクタ要素の他端には上記第２プロファイル内に挿入される挿入部が設けられていて、上記一対のコネクタ要素の頭部と挿入部を合せた状態で組み合わせ、上記それぞれの係合爪を上記第１プロファイルのプロファイル側被把持部の片側に当てるとともに上記それぞれの挿入部を上記第２プロファイル内に挿入し、上記一対のコネクタ要素を締結手段によって締結することにより、上記それぞれの係合爪によって上記第１プロファイルのプロファイル側被把持部を把持するとともに、上記それぞれの挿入部によって上記第２プロファイルを把持し、それによって、上記第１プロファイルと第２プロファイルを連結・固定し、上記それぞれの頭部の上記係合爪に直交する側には別のプロファイル用コネクタの係合爪によって把持されるコネクタ側被把持部が設けられていることを特徴とするものである。
又、請求項２によるプロファイル用コネクタは、請求項１記載のプロファイル用コネクタにおいて、上記それぞれの頭部に設けられたコネクタ側被把持部は、単独で、上記別のプロファイル用コネクタのそれぞれの係合爪によって把持されるものであることを特徴とするものである。
又、請求項３によるプロファイル用コネクタは、請求項１又は請求項２記載のプロファイル用コネクタにおいて、上記コネクタ側被把持部は上記第１プロファイルのプロファイル側被把持部と同じ形状をなすものであることを特徴とするものである。
又、請求項４によるプロファイル用コネクタは、請求項１〜請求項３の何れかに記載のプロファイル用コネクタにおいて、上記それぞれの挿入部は上記締結手段により締結されることにより上記第２プロファイルの中空部を内側から押し付けるものであることを特徴とするものである。
又、請求項５によるプロファイル用コネクタは、請求項４記載のプロファイル用コネクタにおいて、上記それぞれの挿入部には相互に組み合される螺旋状係合面が設けられていることを特徴とするものである。
又、請求項６によるプロファイル用コネクタは、請求項１〜請求項３の何れかに記載のプロファイル用コネクタにおいて、上記それぞれの挿入部は上記締結手段により締結されることにより上記第２プロファイルの中空部内の壁を外側から押し付けるものであることを特徴とするものである。
【発明の効果】
【００１２】
以上述べたように本願発明の請求項１によるプロファイル用コネクタによると、被把持部を備えた第１プロファイルに中空部を備えた第２プロファイルを連結・固定する際に使用するプロファイル用コネクタにおいて、着脱可能に組み合わされる一対のコネクタ要素からなり、上記各コネクタ要素の一端には頭部がそれぞれ設けられていて該頭部には上記第１プロファイルの被把持部の片側に係合する係合爪がそれぞれ設けられており、上記各コネクタ要素の他端には上記第２プロファイル内に挿入される挿入部がそれぞれ設けられていて、上記一対のコネクタ要素の頭部と軸部を合せた状態で組み合わせ、上記それぞれの係合爪を上記第１プロファイルの被把持部の片側に当てるとともに上記それぞれの軸部を上記第２プロファイル内に挿入し、上記一対のコネクタ要素を締結手段によって締結することにより、上記それぞれの係合爪によって上記第１プロファイルの被把持部を把持するとともに上記それぞれの挿入部によって上記第２プロファイルを把持し、それによって、上記第１プロファイルと第２プロファイルを連結・固定し、上記それぞれの頭部の上記係合爪に直交する側には別のプロファイル用コネクタの係合爪によって把持される被把持部が設けられているので、上記プロファイル用コネクタの被把持部によって、上記別のプロファイル用コネクタを上記第１プロファイルの被把持部に近接した状態で使用することができ、使い勝手を向上させることができる。
又、請求項２によるプロファイル用コネクタによると、請求項１記載のプロファイル用コネクタにおいて、上記それぞれの頭部に設けられたコネクタ側被把持部は、単独で、上記別のプロファイル用コネクタのそれぞれの係合爪によって把持されるものであるので、別のプロファイル用コネクタのそれぞれの係合爪によって把持されても、変形したり位置がずれるようなことはない。
又、請求項３によるプロファイル用コネクタによると、請求項１又は請求項２記載のプロファイル用コネクタにおいて、上記コネクタ側被把持部は上記第１プロファイルのプロファイル側被把持部と同じ形状をなすものであるので、上記第２プロファイルと上記プロファイル用コネクタに跨って上記別のプロファイル用コネクタを設置でき、更に使い勝手を向上させることができる。
請求項４のプロファイル用コネクタによると、請求項１〜請求項３の何れかに記載のプロファイル用コネクタにおいて、上記それぞれの挿入部は上記締結手段により締結されることにより上記第２プロファイルの中空部を内側から押し付けるものであるので、上記第２プロファイルの構成を簡易なものとすることができる。
請求項５のプロファイル用コネクタによると、請求項４記載のプロファイル用コネクタにおいて、上記それぞれの挿入部には相互に組みあわされる螺旋状係合面が設けられているので、断面積が小さく応力が集中しやすい部分がなく、軸方向の基端部から終端部にかけて一様で必要な大きさの断面積を確保することができ、破損の恐れのない耐久性に優れたプロファイル用コネクタを提供できる。
請求項６のプロファイル用コネクタによると、請求項１〜請求項３の何れかに記載のプロファイル用コネクタにおいて、上記それぞれの挿入部は上記締結手段により締結されることにより上記第２プロファイルの中空部内の壁を外側から押し付けるものであるので、上記プロファイル用コネクタの構成を簡易なものとすることができる。
【図面の簡単な説明】
【００１３】
【図１】本発明の第１の実施の形態を示す図で、プロファイル用コネクタを使用して第１プロファイルと第２プロファイルを連結・固定し、更に、上記第２プロファイルと第３プロファイルを別のプロファイル用コネクタによって連結・固定した状態を示す斜視図である。
【図２】本発明の第１の実施の形態を示す図で、プロファイル用コネクタを使用して第１プロファイルと第２プロファイルを連結・固定する様子を示す分解斜視図である。
【図３】本発明の第１の実施の形態を示す図で、図３（ａ）はプロファイル用コネクタを使用して第１プロファイルと第２プロファイルを連結・固定する様子を示す分解斜視図、図３（ｂ）はコネクタ要素を外側からみた斜視図、図３（ｃ）はコネクタ要素を内側から見た斜視図である。
【図４】本発明の第１の実施の形態を示す図で、プロファイル用コネクタを使用して第１プロファイルと第２プロファイルを連結・固定した状態を示す正面図である。
【図５】本発明の第１の実施の形態を示す図で、図４のＶ−Ｖ断面図である。
【図６】本発明の第１の実施の形態を示す図で、プロファイル用コネクタを組み立てた状態を示す斜視図である。
【図７】本発明の第１の実施の形態を示す図で、プロファイル用コネクタを組み立てた状態を示す正面図である。
【図８】本発明の第１の実施の形態を示す図で、プロファイル用コネクタを組み立てた状態を示す背面図である。
【図９】本発明の第１の実施の形態を示す図で、図９（ａ）はプロファイル用コネクタを組み立てた状態であって連結・固定解除状態を示す側面図、図９（ｂ）はプロファイル用コネクタを組み立てた状態であって連結・固定状態を示す側面図である。
【図１０】本発明の第１の実施の形態を示す図で、図１０（ａ）はプロファイル用コネクタを組み立てた状態であって連結・固定解除状態を示す平面図、図１０（ｂ）はプロファイル用コネクタを組み立てた状態であって連結・固定解除状態を示す底面図である。
【図１１】本発明の第２の実施の形態を示す図で、図１１（ａ）はプロファイル用コネクタを使用して第１プロファイルと第２プロファイルを連結・固定する様子を示す分解斜視図、図１１（ｂ）はコネクタ要素を外側からみた斜視図、図１１（ｃ）はコネクタ要素を内側から見た斜視図である。
【図１２】本発明の第３の実施の形態を示す図で、プロファイル用コネクタを使用して第１プロファイルと第２プロファイルを連結・固定し、更に、上記第２プロファイルと第３プロファイルを別のプロファイル用コネクタを使用して連結・固定した状態を示す斜視図である。
【図１３】本発明の第３の実施の形態を示す図で、プロファイル用コネクタを使用して第１プロファイルと第２プロファイルを連結・固定する様子を示す分解斜視図である。
【図１４】本発明の第３の実施の形態を示す図で、図１４（ａ）はプロファイル用コネクタを使用して第１プロファイルと第２プロファイルを連結・固定する様子を示す分解斜視図、図１４（ｂ）はコネクタ要素を外側からみた斜視図、図１４（ｃ）はコネクタ要素を内側から見た斜視図である。
【図１５】本発明の第３の実施の形態を示す図で、図１２のＸＶ−ＸＶ断面図である。
【図１６】本発明の第３の実施の形態を示す図で、図１６（ａ）は図１５のＸＶＩａ−ＸＶＩａ矢視図、図１６（ｂ）は図１５のＸＶＩｂ−ＸＶＩｂ矢視図である。
【発明を実施するための形態】
【００１４】
以下、図１乃至図１０を参照して本発明の第１の実施の形態について説明する。図１に示すように、本実施の形態によるプロファイル用コネクタ１は、例えば、中空状をなし外周面３にプロファイル側被把持部５を備えた第１プロファイル７に対して、同じく中空状をなし外周面３にプロファイル側被把持部５を備えた第２プロファイル９を垂直に指向させて連結・固定する際に使用される。
なお、垂直はあくまで一例であり斜めに指向させる場合もある。
更に、上記プロファイル用コネクタ１は、図１に示すように、上記第２プロファイル９に対して、上記第１プロファイル７や第２プロファイル９と同様の第３プロファイル１１を、例えば、上記第１プロファイル７に近接した状態で平行に連結・固定する際にも使用される。
【００１５】
まず、上記第１プロファイル７、第２プロファイル９、及び、第３プロファイル１１の詳細な構成について説明する。
この第１の実施の形態の場合は、上記第１プロファイル７、上記第２プロファイル９、上記第３プロファイル１１は、同一の横断面形状で、長さが適宜に設定された、例えば、アルミニウム製の略丸パイプ状の部材によって構成されている。
例えば、図１乃至図３に示すように、上記第１プロファイル７、第２プロファイル９、第３プロファイル１１のそれぞれの外周面３に形成されているプロファイル側被把持部５は、長さ方向に延長され、例えば、周方向に９０°間隔で４個設けられている。
また、上記プロファイル側被把持部５は、その横断面形状が、外方に突設された略扁平に近い円弧状の凸部であり、上記プロファイル側被把持部５の外方先端部のコーナ部には、左右側方に幾分張り出すようにエッジ１３、１３が形成されている。
又、上記プロファイル側被把持部５の内側の第１プロファイル７と第２プロファイル９の内周面１４には、係合凹部１５が、上記プロファイル側被把持部５に対応して４個設けられている。上記係合凹部１５は、上記プロファイル側被把持部５に対応して略扁平に近い円弧状をした一回り小さな凹部によって構成されている。
【００１６】
次に、上記プロファイル用コネクタ１の詳細な構成について説明する。
上記プロファイル用コネクタ１は、例えば、図２、図３（ａ）に示すように、一対のコネクタ要素２１、２１からなる。図３（ｂ）、図３（ｃ）に示すように、各コネクタ要素２１、２１のＹ軸方向の一端側（図３（ｂ）中上端側）には、頭部２３が設けられている。この頭部２３の上端面２５の外周側の部位には、Ｙ軸方向の一端側（図３（ｂ）及び図３（ｃ）中上側）に突出された側面視略三角形状を成す凸部２７が設けられており、該凸部２７の内側の壁面から内方（図３（ｂ）中左上側、図３（ｃ）中右下側）に突出するように、一例として略半円形断面を成す把持爪部２９、２９が形成されている。これら把持爪部２９、２９は、上記第１プロファイル７のプロファイル側被把持部５の片側のエッジ１３に係合される。
また、上記頭部２３は、一例として内側面が平坦な分割面３１によって形成され、外表面３３が曲面によって形成され、上端面２５と下端面３５が平坦面によって形成されている。
そして、上記頭部２３には、上記分割面３１側と上記外表面３３側を連絡するように、締結部材用貫通孔３７が形成されている。この締結部材用貫通孔３７の外表面３３側は、拡径されて略６角形の横断面形状を成している。
【００１７】
また、上記頭部２３の側面側の一方（図３（ｃ）中左下側）には、コネクタ側被把持部用支持部３９が形成されていて、このコネクタ側被把持部用支持部３９には、コネクタ側被把持部４１が設けられている。このコネクタ側被把持部４１は、上記第１プロファイル７、第２プロファイル９、及び、第３プロファイル１１のプロファイル側被把持部５と同様の構成となっており、エッジ４３、４３が形成されている。また、後述する挿入部を上記第２プロファイル９に挿入した際、同じ側に設けられた上記コネクタ側被把持部４１と上記プロファイル側被把持部５とが連続することになる。
上記コネクタ側被把持部４１は、上記把持爪部２９、２９に直交する側に形成されている。また、上記プロファイル用コネクタ１には、対向する２箇所に、上記コネクタ側被把持部４１、４１が設けられることになる。
【００１８】
又、上記各コネクタ要素２１のＹ軸方向の他端側（図３（ｂ）中下側）には、上記頭部２３に一体に、挿入部４５が設けられている。この挿入部４５は、上記第２プロファイル９内に挿入されて上記第２プロファイル９の上記内周面１４に押圧される。
【００１９】
また、上記挿入部４５には、螺旋状係合面４７が設けられている。そして、上記螺旋状係合面４７は、図３（ｂ）、図３（ｃ）に示すように、その基端面４９（図３（ｃ）中上側の面）から出発して、上記頭部２３の分割面３１を挟んでその反対側に張り出すように延び、その終端面５１（図３（ｂ）中下側の面）において、上記基端面４９と１８０°角度を異ならせて位置するように螺旋状に捩られた状態で形成されている。
【００２０】
又、上記挿入部４５の、分割面３１を挟んでその反対側に張り出して位置している終端面５１寄りの外周面５３には、押圧部として機能する係合凸部５５が形成されている。この係合凸部５５は第２プロファイル９の内周面側に設けられた係合凹部１５に係合されるとともに押圧されることになる。
【００２１】
次に、この第１の実施の形態の作用について説明する。
まず、プロファイル用コネクタ１を使用して第１プロファイル７と第２プロファイル９を連結・固定する場合について説明する。
まず、一対のコネクタ要素２１、２１をそれぞれの分割面３１、３１を対向・配置させるとともに、それぞれの螺旋状係合面４７、４７を係合させ、ボルト５７とナット５９で緩く締結する。
その状態で、一対のコネクタ要素２１、２１の把持爪部２９、２９、２９、２９を、第１プロファイル７のプロファイル側被把持部５の両側に係合させるとともに、挿入部４５、４５を上記第２プロファイル９の内部に挿入する。この段階では、ボルト５７とナット５９は強く締め付けれられていないので、連結・固定解除状態にある。
【００２２】
上記連結・固定解除状態では、一対のコネクタ要素２１、２１は、図９（ａ）、図１０に示す状態にあり、上記コネクタ要素２１、２１の把持爪部２９、２９、２９、２９が矢印Ａ方向に移動・拡開されていて、上記挿入部４５、４５の係合凸部５５、５５が矢印Ｂ方向に移動・接近されている。これにより、上記頭部２３、２３の対向・配置されたそれぞれの分割面３１、３１の間に、図１０（ａ）に示すように、挿入部４５、４５の張出し量Ｔ（図９（ｂ）に示す）の２倍の大きさの隙間Ｓが形成されている。
【００２３】
この状態では、対向・配置される一対の把持爪部２９、２９、２９、２９によって、第１プロファイル７のプロファイル側被把持部５が把持されることはない。
一方、一対の挿入部４５、４５の外径は、それぞれの螺旋状係合面４７、４７の下部を係合・当接させた最も小さな寸法になっているので、挿入部４５、４５の係合凸部５５、５５が、第２プロファイル９の内周面１４の係合凹部１５、１５に押圧されることもない。
【００２４】
次に、図９（ｂ）を参照しながら、連結・固定状態について説明する。
上記連結・固定解除状態において、ボルト５７とナット５９をさらに締め付けることにより、連結・固定状態に移行する。
【００２５】
連結・固定状態では、一対のコネクタ要素２１、２１は、図９（ｂ）に示す状態にあり、この状態では、上記コネクタ要素２１、２１の把持爪部２９、２９、２９、２９が矢印Ｃ方向に移動・接近され、上記挿入部４５、４５の係合凸部５５、５５が矢印Ｄ方向に移動・拡開される。これにより、螺旋状係合面４７、４７の上部が係合・当接した状態になり、上記挿入部４５、４５の係合凸部５５、５５がそれぞれ所定の張出し量Ｔだけ外方に突出して、第２プロファイル９の係合凹部１５に圧接される。
尚、上記張出し量Ｔは、第１プロファイル７と第２プロファイル９の形状や大きさの違い等によって適宜調整されるが、本実施の形態では、一例として当該張出し量Ｔを０．８ｍｍ程度に設定している。
【００２６】
そして、この連結・固定状態では、対向・配置されている一対の把持爪部２９、２９、２９、２９が、第１プロファイル７のプロファイル側被把持部５の左右のエッジ１３、１３に係合し、当該プロファイル側被把持部５を外方から把持する。それによって、第１プロファイル７とプロファイル用コネクタ１が連結・固定される。
【００２７】
一方、一対の挿入４５、４５の係合凸部５５、５５は第２プロファイル９の係合凹部１５、１５に圧接され、それによって、第２プロファイル９がプロファイル用コネクタ１に連結・固定される。
その結果、プロファイル用コネクタ１を介して第１プロファイル７と第２プロファイル９が連結・固定されることになる。
【００２８】
次に、第１プロファイル７と第２プロファイル９がプロファイル用コネクタ１を介して連結・固定された状態で、別のプロファイル用コネクタ１を用いて、第３プロファイル１１を連結・固定する例を説明する。
すなわち、上記プロファイル用コネクタ１には、対向する２箇所に、コネクタ側被把持部４１、４１が設置されているので、図１に示すように、上記第２プロファイル９と上記プロファイル用コネクタ１に跨って、上記別のプロファイル用コネクタ１を介して、上記第３プロファイル１１を連結・固定することができる。
この場合には、上記第１プロファイル７に対して上記第３プロファイル１１を近接させた状態で取り付けることができる。
【００２９】
次に、この第１の実施の形態による効果について説明する。
まず、プロファイル用コネクタ１には、把持爪部２９、２９、２９、２９に直交する側にコネクタ側被把持部４１、４１が設けられているので、別のプロファイル用コネクタ１を用いて、第３のプロファイル９を第１プロファイル７に近接した状態で連結・固定して使用することができ、使い勝手を向上させることができる。
また、上記コネクタ側被把持部４１は、上記第１プロファイル７、第２プロファイル９、及び、第３プロファイル１１のプロファイル側被把持部５と同様の構成となっており、上記挿入部４５、４５を上記第２プロファイル９に挿入した際、同じ側に設けられた上記コネクタ側被把持部４１と上記プロファイル側被把持部５とが連続するので、上記別のプロファイル用コネクタ１を、上記第２プロファイル９と上記プロファイル用コネクタ１とに跨った状態で使用することができる。
また、上記コネクタ側被把持部４１、４１は、それぞれ単独で、上記別のプロファイル用コネクタ１の把持爪部２９、２９、２９、２９によって把持されるものとして構成されているので、上記別のプロファイル用コネクタ１の把持爪部２９、２９、２９、２９によって把持されても、その位置がずれたり変形するようなことはない。
ちなみに、コネクタ側被把持部４１が一対の要素から構成されていて、それぞれの要素がコネクタ要素２１、２１の頭部２３、２３に設けられていた場合には、別のプロファイル用コネクタ１の把持爪部２９、２９、２９、２９によって把持した場合に、締付力によって一対の要素間に僅かな隙間が残ってしまい、それが先々緩みの原因になってしまうことが懸念される。
【００３０】
また、一対の挿入部４５、４５が頭部２３、２３に一体に設けられており、又、挿入部４５、４５は、基端面４９から終端面５１に至るまで螺旋状に形成された螺旋状係合面４７を備えた形状になっていて、断面積が小さく応力が集中しやすい部分がなく、基端面４９の首部の横断面積はもとよりそこから終端面５１に至るまで一様で必要な大きさの断面積が確保された横断面形状となっているので、破損のおそれのない耐久性に優れたプロファイル用コネクタ１を提供することができる。
又、挿入部４５、４５には係合凸部５５、５５が設けられていて、これら係合凸部５５、５５が第２プロファイル９の内周面側に設けられた係合凹部１５、１５に係合・押圧される構成になっているので、単に押し付ける場合に比べて、第２プロファイル９の回転を確実に規制できる等、より強固な締結・固定状態を得ることができる。
【００３１】
次に、図１１を参照して本発明の第２の実施の形態について説明する。この第２の実施の形態の場合も、前記第１の実施の形態の場合と略同様の構成のプロファイル用コネクタ７１を用いる。
このプロファイル用コネクタ７１は、一対のコネクタ要素７３、７３とから構成されている。上記コネクタ要素７３は、前記第１の実施の形態のコネクタ要素２１と略同様の構成をなしており、挿入部７７の構成のみが異なっている。すなわち、挿入部７７は、図１１（ｂ）及び図１１（ｃ）に示すように、頭部２３の図１１（ｂ）中下側に突出された扇形の断面形状を成す首部７５と、この首部７５から分割面３１を挟んだ反対側（図１１（ｃ）中右下側）に延長される部分７６と、図１１（ｃ）中下側に向けて突出された半円形の断面形状を成す部分７８と、から構成されている。
又、前記第１の実施の形態の場合と同様に、上記挿入部７７の外周面７９の上記分割面３１に対向する側には、第２プロファイル９の内周面側に設けられた係合凹部１５に係合される係合凸部８１が形成されている。
なお、前記第１の実施の形態と同一部分には同一符号を付して示しその説明は省略する。
【００３２】
この第２の実施の形態の場合も、前記した第１の実施の場合と略同様の作用・効果を奏する。
ただし、コネクタ要素７３は、前記第１の実施の形態におけるコネクタ要素２１のような螺旋状係合面４７が設けられた形状にはなっていないため、このような形状による作用・効果は奏さない。
【００３３】
次に、図１２乃至図１６を参照しながら、本発明の第３の実施の形態について説明する。
この第３の実施の形態においては、プロファイル用コネクタ９１を用いて、第１プロファイル９３、第２プロファイル９５、及び、第３プロファイル９７を連結・固定する。すなわち、図１２に示すように、上記第１プロファイル９３と上記第２プロファイル９５をプロファイル用コネクタ９１で連結・固定し、更に、上記第２プロファイル９５と上記プロファイル用コネクタ９１に跨って設置された別のプロファイル用コネクタ９１を介して、第３プロファイル９７を上記第１プロファイル９３に近接した状態で連結・固定する。
【００３４】
まず、この第３の実施の形態の場合の第１プロファイル９３、第２プロファイル９５、及び、第３プロファイル９７の構成について説明する。
上記第１プロファイル９３は、図１２に示すような横断面形状で、例えば、アルミニウム製の部材によって構成されている。上記第１プロファイル９３の外周面３には、前記第１の実施の形態における第１プロファイル７と同様、プロファイル側被把持部５が形成されている。
ただし、上記第１プロファイル９３の横断面形状は略３／４円形となっており、上記プロファイル用被把持部５は周方向に９０°間隔で３個設置されている。
また、上記第１プロファイル９３には、長さ方向（図１２中左下から右上に向かう方向）に延長された被把持用貫通孔９９と被把持用溝１０１が形成されている。上記被把持用貫通孔９９は略半円形の横断面形状を成していて、上記被把持用溝１０１は略Ｔ字型の横断面形状を成している。上記被把持用貫通孔９９と被把持用溝１０１との間には壁１１９が設けられている。
上記第２プロファイル９５と上記第３プロファイル９７も、上記第１プロファイル９３と同様の構成であるが、それぞれの長さは適宜に設定される。
【００３５】
次に上記プロファイル用コネクタ９１の構成の詳細について説明する。
上記プロファイル用コネクタ９１は、図１３及び図１４に示すように、コネクタ要素１１１、１１３とから構成されている。これらコネクタ要素１１１、１１３は前記第１の実施の形態のコネクタ要素２１、２１と頭部２３の構成は共通であるが挿入部１１５、１１７の構成が異なっている。すなわち、図１４（ｂ）に示すように、上記コネクタ要素１１１の頭部２３の図１４（ｂ）中下側には、上記第２プロファイル９５の被把持用貫通孔９９に挿入される挿入部１１５が突出・形成されている。一方、図１４（ｃ）に示すように、上記コネクタ要素１１３の頭部２３の図１４（ｃ）中下側には、上記第２プロファイル９５の被把持用溝１０１に挿入される挿入部１１７が突出・形成されている。
上記挿入部１１５は略半円形の横断面形状を成しており、上記挿入部１１７は略Ｔ字型の横断面形状を成している。また、上記挿入部１１５は上記被把持用貫通孔９９に対して所定のクリアランスが確保されるように大きさが設定されており、上記挿入部１１７も同様に上記被把持用溝１０１に対して所定のクリアランスが確保されるように大きさが設定されている。
上記コネクタ要素１１１、１１３は、分割面３１、３１を対向・配置させた状態でボルト５７とナット５９によって締結される。
なお、前記第１の実施の形態と同一部分には同一符号を付して示しその説明を省略する。
【００３６】
次に、この第３の実施の形態の作用について説明する。
まず、プロファイル用コネクタ９１を使用して第１プロファイル９３と第２プロファイル９５を連結・固定する場合について説明する。
上記プロファイル用コネクタ９１は、ボルト５７とナット５９の締め付け具合により、連結・固定解除状態と連結・固定状態の２つの状態をとる。
【００３７】
連結・固定解除状態では、上記ボルト５７と上記ナット５９は緩められており、対向・配置される一対の把持爪部２９、２９、２９、２９が、上記第１プロファイル９３のプロファイル側被把持部５の左右のエッジ１３、１３に対して離間した位置にある。また、挿入部１１５、１１７は上記第２プロファイル９５の被把持用貫通孔９９、被把持用溝１０１に挿入されているが、壁１１９を挟持・固定する状態にはない。
【００３８】
これに対して、連結・固定状態では、上記ボルト５７と上記ナット５９を締め付けた状態にあり、図１５に示すように、対向・配置されている一対の把持爪部２９、２９、２９、２９はＥ方向に移動・接近して、上記第１プロファイル９３の被把持部５の左右のエッジ１３、１３に係合して上記被把持部５を外方から把持する。これによって、上記第１プロファイル９３と上記プロファイル用コネクタ９１が連結・固定される。
一方、上記挿入部１１５、１１７もＦ方向に移動・接近し、上記挿入部１１５、１１７によって、上記第２プロファイル９５の被把持用貫通孔９９と被把持用溝１０１との間の壁１１９を挟持する。これによって、上記第２プロファイル９５と上記プロファイル用コネクタ９１が連結・固定される。
その結果、プロファイル用コネクタ９１を介して、上記第１プロファイル９３と第２プロファイル９５が連結・固定される。
【００３９】
次に、第１プロファイル９３と第２プロファイル９５がプロファイル用コネクタ９１を介して連結・固定された状態で、別のプロファイル用コネクタ９１を用いて、第３プロファイル９７を連結・固定する例を説明する。
すなわち、上記プロファイル用コネクタ９１には、対向する２箇所に、コネクタ側被把持部４１、４１が設置されているので、図１２に示すように、上記第２プロファイル９５と上記プロファイル用コネクタ９１に跨って、上記別のプロファイル用コネクタ９１を介して、上記第３プロファイル９７を連結・固定することができる。
この場合には、上記第１プロファイル９３に対して上記第３プロファイル９７を近接させた状態で取り付けることができる。
【００４０】
この第３の実施の形態の場合も、前記した第１の実施の形態と略同様の効果を奏する。
また、この第３の実施の形態では、コネクタ要素１１１に挿入部１１５を設け、コネクタ要素１１３に挿入部１１７を設けるとともに、第２プロファイル９５に被把持用貫通孔９９と被把持用溝１０１を設け、上記挿入部１１５と上記挿入部１１７によって上記被把持用貫通孔９９と上記被把持用溝１０１の間の壁１１９を挟み込むようにしたので、コネクタ要素１１１、１１５の構成は、螺旋状係合面４７を備えた第１の実施の形態の場合に比べて簡易なものとなる。
【００４１】
尚、本発明は、前記第１乃至第３の実施の形態に限定されるものではない。
例えば、本発明のプロファイル用コネクタの形状や大きさは、適用する第１プロファイル、第２プロファイル、第３プロファイルの形状や大きさ等に対応して種々変更することが可能であり、第１プロファイルと第２プロファイルが角パイプや多角形パイプ状のものであれば、本発明のプロファイル用コネクタの挿入部を角柱形状や多角柱形状に変更することが可能である。
又、第１プロファイル、第２プロファイル、第３プロファイル自体の形状、大きさ、等についてもこれを特に限定するものではない。
又、把持爪部の形状や大きさは、適用する第１プロファイルの被把持部の形状や大きさ等に対応して種々変更することが可能であり、係合凸部の形状や大きさ、個数、適用する係合凹部の形状や大きさ、個数等に対応して種々変更することが可能である。
又、上記係合凸部を有しない挿入部を採用することも可能である。
又、前記第１乃至第３の実施の形態の場合には、各プロファイルを直交、平行に連結する場合を例に挙げて説明したが、それに限定されるものではなく、各プロファイルを斜めに連結する場合、等、様々な場合が想定される。
その他、図示した構成はあくまで一例である。
【産業上の利用可能性】
【００４２】
本発明は、第１プロファイルと第２プロファイルを連結・固定する際に使用するプロファイル用コネクタに係り、特に、プロファイル用コネクタを介して第１プロファイルと第２プロファイルを連結・固定した状態で、例えば、第３プロファイルを別のプロファイル用コネクタを介して第１プロファイルに近接・配置して連結・固定することができるように工夫したものに関し、例えば、工場内の設備の枠構造に好適である。
【符号の説明】
【００４３】
１  プロファイル用コネクタ
５  プロファイル側被把持部
７  第１プロファイル
９  第２プロファイル
１１  第３プロファイル
２１  コネクタ要素
２９  把持爪部
４１  コネクタ側被把持部
４５  挿入部
４７  螺旋状係合面
７１  プロファイル用コネクタ
７３  コネクタ要素
９１  プロファイル用コネクタ
９３  第１プロファイル
９５  第２プロファイル
９７  第３プロファイル
１１１  コネクタ要素
１１３  コネクタ要素
１１５  挿入部
１１７  挿入部
【図１】
2018076912.tif 000003
【図２】
2018076912.tif 000004
【図３】
2018076912.tif 000005
【図４】
2018076912.tif 000006
【図５】
2018076912.tif 000007
【図６】
2018076912.tif 000008
【図７】
2018076912.tif 000009
【図８】
2018076912.tif 000010
【図９】
2018076912.tif 000011
【図１０】
2018076912.tif 000012
【図１１】
2018076912.tif 000013
【図１２】
2018076912.tif 000014
【図１３】
2018076912.tif 000015
【図１４】
2018076912.tif 000016
【図１５】
2018076912.tif 000017
【図１６】
2018076912.tif 000018